(57)【要約】      （修正有）【課題】前後方向にスライド移動する可動壁目地プレートが開口部側へスライド移動しても、ふらつくことなく支持できる目地装置を提供する。【解決手段】左右の建物５の床躯体３間の目地部２を覆う床用目地装置６と、左右の建物５の壁躯体４間の目地部２を天井側の上部を除く部位を覆う壁用目地装置７とからなる目地装置１において、壁用目地装置７を、レール１１と平行になるように、一方の建物５の目地部側壁躯体４に取付けられた支持レール２０と、上部が支持レール２０に支持され下部がレール１１に支持された可動壁目地プレート１９と、可動壁目地プレート１９の床用目地プレート１４側に一端部が枢支され他端部が他方の建物５の目地部側壁躯体４に枢支された伸縮可能な壁用目地装置本体１８と、一端部が可動壁目地プレート１９に枢支され他端部が他方の建物５の目地部側壁躯体４に枢支され、中央枢支部２３が上方に位置する連結蝶番２４と、で構成する。【選択図】図１
2015094116.tif 000002
【特許請求の範囲】
【請求項１】
目地部を介して設けられた床躯体と壁躯体を備える左右の建物の床躯体間の目地部を覆う床用目地装置と、前記左右の建物の壁躯体間の目地部を天井側の上部を除く部位を覆う壁用目地装置とからなる目地装置において、前記床用目地装置を前記左右の建物の一方の建物の床躯体および、該床躯体より突出する一方の建物の目地部側壁躯体に取付けられたレールと、このレールに後端部がスライド移動可能に支持され、先端部が前記左右の建物の他方の建物の壁躯体間に左右方向に移動可能に挿入された床用目地プレートで構成するとともに、前記壁用目地装置を前記床用目地装置のレールと平行になるように、天井側の上部を除く部位の前記一方の建物の目地部側壁躯体に取付けられた支持レールと、 上部が該支持レールに支持され、下部が前記レールに支持された可動壁目地プレートと、この可動壁目地プレートの前記床用目地プレート側に一端部が枢支され、他端部が前記他方の建物の目地部側の壁躯体に枢支された伸縮可能な壁用目地装置本体と、一端が前記可動壁目地プレートに枢支され、他端部が該可動壁目地プレートと対向する前記他方の建物の目地部側壁躯体に枢支された中央枢支部が上方に位置する連結蝶番とで構成したことを特徴とする目地装置。
【請求項２】
床用目地プレートの上面は、左右の建物の床躯体の上面と同一面となるようにレールが設置されるとともに、他方の建物の目地部側床躯体に反目地部側が傾斜面に形成された床用目地プレートスライド支持凹部が形成されており、壁用目地装置の可動壁目地プレートは床用目地プレートと一体になって前後方向に移動できるように取付けられていることを特徴とする請求項１記載の目地装置。
【発明の詳細な説明】
【技術分野】
【０００１】
本発明は目地部を介して床躯体と壁躯体を備える左右の建物間の床躯体間と天井側の上部を除く部位の壁躯体間を覆う目地装置に関する。
【背景技術】
【０００２】
従来、この種の目地装置は、左右の建物の壁面間は床面から天井部分まで覆う壁面用目地装置が用いられていた。
【０００３】
しかしながら、左右の建物の壁面間に床面から天井部分より下の所定位置まで覆う壁面用目地装置を設置しようとすると、地震で左右の建物が前後方向に揺れ動くと、床部分に隙間が生じたり、この床部分の隙間を解消するために、壁用目地装置本体の一端部に前後方向にスライド移動可能に取付けられた可動壁目地プレートの上部をガイドするガイドレールが開口部側へ突出させて設置することができず、ふらつき、危険であるという欠点があった。
【先行技術文献】
【特許文献】
【０００４】
【特許文献１】特許第３９７４８８３号公報
【発明の概要】
【発明が解決しようとする課題】
【０００５】
本発明は以上のような従来の欠点に鑑み、壁面用目地装置を天井分部まで設置しなくても、壁面用目地装置本体の一端部に取付けられた、前後方向にスライド移動する可動壁目地プレートが開口部側へスライド移動しても、ふらつくことなく、安全で、強固に支持することができる目地装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【課題を解決するための手段】
【０００７】
上記目的を達成するために、本発明は目地部を介して設けられた床躯体と壁躯体を備える左右の建物の床躯体間の目地部を覆う床用目地装置と、前記左右の建物の壁躯体間の目地部を天井側の上部を除く部位を覆う壁用目地装置とからなる目地装置において、前記床用目地装置を前記左右の建物の一方の建物の床躯体および、該床躯体より突出する一方の建物の目地部側壁躯体に取付けられたレールと、このレールに後端部がスライド移動可能に支持され、先端部が前記左右の建物の他方の建物の壁躯体間に左右方向に移動可能に挿入された床用目地プレートで構成するとともに、前記壁用目地装置を前記床用目地装置のレールと平行になるように、天井側の上部を除く部位の前記一方の建物の目地部側壁躯体に取付けられた支持レールと、 上部が該支持レールに支持され、下部が前記レールに支持された可動壁目地プレートと、この可動壁目地プレートの前記床用目地プレート側に一端部が枢支され、他端部が前記他方の建物の目地部側の壁躯体に枢支された伸縮可能な壁用目地装置本体と、一端が前記可動壁目地プレートに枢支され、他端部が該可動壁目地プレートと対向する前記他方の建物の目地部側壁躯体に枢支された中央枢支部が上方に位置する連結蝶番とで目地装置を構成している。
【発明の効果】
【０００８】
以上の説明から明らかなように、本発明にあっては次に列挙する効果が得られる。
（１）請求項１により、壁用目地装置の可動壁目地プレートを連結蝶番によって支持しているので、可動壁目地プレートが地震で開口部方向にスライド移動し、支持レールより突出しても、連結蝶番によって可動壁目地カバーがふらついたりすることなく、安全に支持することができ、安全に使用することができる。
（２）前記（１）により、連結蝶番の中央枢支部が上方に位置されているので、常時、両端部の枢支部が外方へ押し付けるような自重が加わり、より確実に可動壁目地プレートを正常な位置に保持でき、美観を損ねたり、隙間が生じたりするのを確実に防止することができる。
（３）前記（１）により、壁用目地装置本体を天井側の上部を除く部位に設置されているので、小型で、安価に製造でき、低コストで設置することができる。
（４）前記（１）により、地震で左右の建物が異なる前後左右方向に揺れ動いても、連結蝶番や可動壁目地プレートの移動で、その揺れ動きを吸収することができる。
（５）請求項２も前記（１）〜（４）と同様な効果が得られる。
【図面の簡単な説明】
【０００９】
【図１】本発明を実施するための第１の形態の平面図。
【図２】図１の２−２線に沿う断面図。
【図３】図１の３−３線に沿う断面図。
【図４】本発明を実施するための第１の形態の壁用目地装置本体の説明図。
【図５】本発明を実施するための第１の形態の目地部が狭くなった状態の断面図。
【図６】図５の６−６線に沿う断面図。
【図７】本発明を実施するための第１の形態の目地部が広くなった状態の断面図。
【図８】図７の８−８線に沿う断面図。
【図９】本発明を実施するための第１の形態の地震で左右の建物が異なる前後方向に揺れ動いた状態の平面図。
【図１０】図９の１０−１０線に沿う断面図。
【図１１】本発明を実施するための第２の形態の平面図。
【図１２】図１１の１２−１２線に沿う断面図。
【図１３】図１１の１３−１３線に沿う断面図。
【図１４】本発明を実施するための第３の形態の平面図。
【図１５】図１４の１５−１５線に沿う断面図。
【図１６】図１４の１６−１６線に沿う断面図。
【発明を実施するための形態】
【００１０】
以下、図面に示す本発明を実施するための形態により、本発明を詳細に説明する。
【００１１】
図１ないし図１０に示す本発明を実施するための第１の形態において、１は目地部２を介して設けられた床躯体３、３と壁躯体４、４を備える左右の建物５、５の床躯体３、３間の目地部２を覆う床用目地装置６と、前記左右の建物５、５の壁躯体４、４間の目地部２を天井側の上部を除く部位を覆う壁用目地装置７、７とからなる本発明の目地装置で、この目地装置１の床用目地装置６は前記一方の建物の床躯体３の目地部側床躯体に形成された、反目地部側に傾斜面８が形成された目地プレートスライド支持凹部９と、この目地プレートスライド支持凹部９と対向する他方の建物５の床躯体３に水平方向に固定された開口部１０よりも外方へ突出するレール１１と、このレール１１に沿って前後方向にスライド移動できるように下部に複数個のローラ１２を取付けたスベリ体１３に後端部が取付けられ、先端部が前記目地プレートスライド支持凹部９を覆うように支持された目地プレート１４とで構成されている。
【００１２】
前記目地装置１の壁用目地装置７、７は前記目地プレート１４の後部両端部のスベリ体１３に下端部が固定された支柱１５、１５と、この支柱１５、１５に一端部がヒンジ部材１６、１６で枢支され、他端部が一方の建物５の目地部側の壁躯体４、４にヒンジ部材１７、１７で枢支された伸縮可能な壁用目地装置本体１８、１８と、前記スベリ体１３に下端部が取付けられるとともに、前記支柱１５、１５に一端部が取付けられた板状あるいは格子状の可動壁目地プレート１９、１９と、この可動壁目地プレート１９、１９の上端部がスライド移動できるように他方の建物５の目地部側壁躯体４に取付けられた支持レール２０、２０と、前記可動壁目地プレート１９、１９の上部を除く部位に一端部がヒンジ部材２１で枢支され、他端部が該部とほぼ同じ位置の一方の建物５の目地部側壁躯体４にヒンジ部材２２で枢支され、ほぼ４５度の角度で上方へ突出する中央枢支部２３を備える連結蝶番２４、２４とで構成されている。
【００１３】
前記壁用目地装置本体１８、１８は一端部が前記一方の建物５の目地部側壁躯体４にヒンジ部材１７、１７で取付けられ、他端部が前記支柱１５、１５にヒンジ部材１６、１６で取付けられた少なくとも２個以上の中央に中央枢支部２５を有するパンタグラフ形状の伸縮リンク機構２６、２６、２６、２６と、この少なくとも２個以上のパンタグラフ形状の伸縮リンク機構２６、２６、２６、２６の両端部の取付部に取付けられた先端部に、傾斜面２７、２７が形成された両端部の目地部を覆う端部目地プレート２８、２８と、この端部目地プレート２８、２８の傾斜面２７、２７と面接触する傾斜面２９、２９を有し、かつ該端部目地プレート２８、２８の押し圧によって、前方へ突出するように付勢スプリング３０で前記中央枢支部２５に枢支された中央目地プレート３１とで構成されたものが使用されている。
【００１４】
なお、壁用目地装置本体１８、１８は伸縮可能なものであれば、現在使用されているどんな構造のものであってもよく、また、特許第３６６２１７３号、特許第３８２０２１７号、特許第４０７９４３６号、特許第４８３６８６０号公報に開示された壁用目地装置であってもよい。
【００１５】
上記構成の目地装置１は、通常状態では図１ないし図３に示すように左右の建物５、５の床躯体３、３間の目地部２は床用目地装置６で覆われているとともに、左右の建物５、５の壁躯体４、４間の天井側の上部を除く部位の目地部２は壁用目地装置７、７で覆われているため、安全に左右の建物５、５間を走行することができる。
【００１６】
地震で左右の建物５、５が異なる左右方向に揺れ動き、目地部２が狭くなった場合には、図５および図６に示すように床用目地装置６の目地プレート１４の先端部が目地プレートスライド支持凹部９の傾斜面８に沿って、一方の建物５の床躯体３上へ突出するとともに、壁用目地装置７、７の壁用目地装置本体１８、１８は収縮して、目地部２に隙間が生じることなくその揺れ動きを吸収する。
【００１７】
また、目地部２が広くなった場合には、図７および図８に示すように床用目地装置６の目地プレート１４の先端部が目地プレートスライド支持凹部９上をスライド移動するとともに、壁用目地装置７、７の壁用目地装置本体１８、１８は伸縮して、目地部２に隙間が生じることなく、その揺れ動きを吸収する。
【００１８】
地震で左右の建物５、５が異なる前後方向に揺れ動いた場合、図９および図１０に示すように一方の建物５の壁躯体４、４によって床用目地装置６の目地プレート１４の後端部レール１１に沿って前後方向にスライド移動するとともに、この目地プレート１４の前後方向のスライド移動によって、壁用目地装置７、７の支柱１５、１５も一体になって前後方向へスライド移動するため、可動壁目地プレート１９、１９も前後方向にスライド移動し、他方の建物５の開口部１０内へ侵入して目地部２に開口するのを阻止する。
【００１９】
なお、可動壁目地プレート１９、１９は連結蝶番２４、２４によって他方の建物５の目地部側壁躯体４方向に押し圧されたような状態となっており、可動壁目地プレート１９、１９の上部が支持レール２０、２０より突出するようにスライド移動しても、安定した状態で保持されていて、開口部１０内へ突出した可動壁目地プレート１９、１９に衝突しても、可動壁目地プレート１９、１９が撓んで隙間が生じたりすることを確実に防止できる。    
【００２０】
[発明を実施するための異なる形態]
次に、図１１ないし図１６に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図１１ないし図１３に示す本発明を実施するための第２の形態において、前記本発明を実施するための第１の形態と主に異なる点は、目地プレート１４の後部底面にレール１１に沿って移動する複数個のローラ３２を設けるとともに、目地プレート１４の後端両側部に支柱取付部３３、３３を形成し、該支柱取付部３３、３３に支柱１５、１５を取付けた点で、このように構成した目地装置１Ａにしても、前記本発明を実施するための第１の形態と同様な作用効果が得られる。
【００２２】
図１４ないし図１６に示す本発明を実施するための第３の形態において、前記本発明を実施するための第１の形態と主に異なる点は、四角枠状のフレーム３４を用いた可動壁目地プレート１９Ａ、１９Ａを用いるとともに、該可動壁目地プレート１９Ａ、１９Ａのフレーム３４、３４をスベリ体１３に固定した点で、このように構成した目地装置１Ｂにしても、前記本発明を実施するための第１の形態と同様な作用効果が得られる。
【産業上の利用可能性】
【００２３】
本発明は目地部を介して床躯体と壁躯体を備える左右の建物間の床躯体間と天井側の上部を除く部位の壁躯体間を覆う目地装置を製造する産業で利用される。
【符号の説明】
【００２４】
１、１Ａ、１Ｂ：目地装置、  ２：目地部、
３：床躯体、        ４：壁躯体、
５：建物、        ６：床用目地装置、
７：壁用目地装置      ８：傾斜面、
９：目地プレートスライド支持凹部、
１０：開口部、      １１：レール、
１２：ローラ、      １３：スベリ体、
１４：目地プレート、    １５：支柱、
１６：ヒンジ部材、      １７：ヒンジ部材、
１８：壁用目地装置本体、    
１９、１９Ａ：可動壁目地プレート、
２０：支持レール、      ２１：ヒンジ部材、
２２：ヒンジ部材、      ２３：中央枢支部、
２４：連結蝶番、      ２５：中央枢支部、
２６：伸縮リンク機構、    ２７：傾斜面、
２８：端部目地プレート、    ２９：傾斜面、
３０：付勢スプリング、    ３１：中央目地プレート、
３２：ローラ、      ３３：支柱取付部、
３４：フレーム。
【図１】
2015094116.tif 000003
【図２】
2015094116.tif 000004
【図３】
2015094116.tif 000005
【図４】
2015094116.tif 000006
【図５】
2015094116.tif 000007
【図６】
2015094116.tif 000008
【図７】
2015094116.tif 000009
【図８】
2015094116.tif 000010
【図９】
2015094116.tif 000011
【図１０】
2015094116.tif 000012
【図１１】
2015094116.tif 000013
【図１２】
2015094116.tif 000014
【図１３】
2015094116.tif 000015
【図１４】
2015094116.tif 000016
【図１５】
2015094116.tif 000017
【図１６】
2015094116.tif 000018